(57)【要約】【課題】単一の小型の集積パッケージに組み込んでいる小型の兵器マウント型非致死性光学式セキュリティ装置（兵器マウント型レーザーディストラクト装置）を提供する。【解決手段】２つの側面部によって互いに連結される上面部および底面部、前面部、および背面部を有するエンクロージャ１００を有する兵器マウント型レーザーディストラクト装置が提供される。前記上面部は、多関節マウントアダプター１５０を含んでおり、前記底面部は、制御部２０１を含んでおり、前記前面部は、一体型光学カバー１１０および複数のアパーチャ１２０，１３０，１４０を含んでいる。前記エンクロージャ１００は、電子モジュールと通信するバッテリーモジュールを含んでいるレーザー装置を、保護しかつ取り囲んでいる。前記電子モジュールは、複数の光学モジュールに光を提供する複数の光生成モジュールを制御する。制御モジュールあるいはリモートモジュールは、電子モジュールに命令を提供する。ディスプレイモジュールおよびインジケータモジュールが、また設けられている。【選択図】図１
2015503081.tif 000002
【特許請求の範囲】
【請求項１】
上面部、底面部、前面部および背面部を有するエンクロージャ（１００）を有し、
前記上面部および前記底面部は、２つの側面部によって互いに連結され、
前記上面部は、多関節マウントアダプター（１５０）を有し、
前記底面部は、制御部（２０１）を有し、
前記前面部は、一体型光学カバー（１１０）および複数のアパーチャ（１２０、１３０、１４０）を有し、
前記エンクロージャ（１００）は、レーザー装置を取り囲んでおり、電子モジュール（４７０）と通信するバッテリーモジュール（４９０）をさらに有し、
前記電子モジュール（４７０）は、複数の光学モジュール（４２０，４２５，４３０）あるいは共用の光学モジュールに、光を提供する複数の光生成モジュール（４００，４０５，４１０）を制御し、
前記電子モジュール（４７０）は、制御モジュール（４４０）、ディスプレイモジュール（４８０）およびインジケータモジュール（４５０）と、さらに通信し、
使用中において、前記電子モジュール（４７０）は、前記複数の光生成モジュール（４００，４０５，４１０）の１つを駆動し、前記複数の光学モジュール（４２０，４２５，４３０）の１つに渡される光を生成する、兵器マウント型レーザーディストラクト装置。
【請求項２】
コマンド入力のため、前記電子モジュール（４７０）と通信するリモートモジュール４６０を、さらに有する請求項１に記載の兵器マウント型レーザーディストラクト装置。
【請求項３】
前記リモートモジュール（４６０）は、無線周波数通信によって前記電子モジュール（４７０）と通信する請求項２に記載の兵器マウント型レーザーディストラクト装置。
【請求項４】
前記リモートモジュール（４６０）は、電気アンビリカルコードによって前記電子モジュール（４７０）と通信する請求項２に記載の兵器マウント型レーザーディストラクト装置。
【請求項５】
前記複数の光生成モジュール（４００，４０５）は、可視レーザーモジュール（４００）および赤外線（ＩＲ）レーザーモジュール（４０５）を有する請求項１に記載の兵器マウント型レーザーディストラクト装置。
【請求項６】
前記ＩＲレーザーモジュール（４０５）および前記ＩＲレーザー光学モジュール（４２５）は、
前記電子モジュール（４７０）によって、あるいは、前記レーザー光学モジュールを通過する別の光学通路を有する前記ＩＲレーザーモジュール（４０５）として規定される、２つの統合された、しかし独立したＩＲレーザーソースによって、制御され、
標的のために、広域カバレッジ光ビームあるいはペンシル光ビームを生成する請求項５に記載の兵器マウント型レーザーディストラクト装置。
【請求項７】
前記可視レーザーモジュール（４００）および前記可視レーザー光学モジュール（４２０）は、前記電子モジュール（４７０）によって制御され、システム制限内のレンジにおいて、視覚の光学的ディストラクションを最適化するために、連続的かつ可変に発散しているレーザービームを生成する請求項５に記載の兵器マウント型レーザーディストラクト装置。
【請求項８】
前記複数の光生成モジュール（４００，４０５，４１０）は、可視レーザーモジュール（４００）、赤外線（ＩＲ）レーザーモジュール（４０５）および可視ＬＥＤモジュール（４１０）を有する請求項１に記載の兵器マウント型レーザーディストラクト装置。
【請求項９】
前記可視ＬＥＤモジュール（４１０）は、探索するための白色光を生成する請求項８に記載の兵器マウント型レーザーディストラクト装置。
【請求項１０】
前記光学カバー（１１０）は、１００％未満の不透明体である請求項１に記載の兵器マウント型レーザーディストラクト装置。
【請求項１１】
前記光学カバー（１１０）は、レーザービームに付形し、メッセージを投射するための英数字のマスクを、さらに有する請求項１０に記載の兵器マウント型レーザーディストラクト装置。
【請求項１２】
前記光学カバー（１１０）は、レーザービームに付形し、メッセージを投射するためのシンボルを有するマスクを、さらに有する請求項１０に記載の兵器マウント型レーザーディストラクト装置。
【請求項１３】
前記エンクロージャ（１００）は、ピッチを制御するためのピッチ調整部（１５６）およびヨーを制御するためのヨー調整部（１５７）を、さらに有する請求項１に記載の兵器マウント型レーザーディストラクト装置。
【請求項１４】
一つ以上の光学モジュール（４２０，４２５，４３０）はさらに、前記制御モジュール（４４０）、および／又は、ピッチ調整部（１５６）およびヨー調整部（１５７）に応じて、ピッチ調整およびヨー調整のために、機能する請求項１に記載の兵器マウント型レーザーディストラクト装置、
【請求項１５】
前記多関節マウントアダプター（１５０）は、前記ディストラクト装置を３、６、９および１２時ポジションで兵器にマウントすることを許容するように構成されている請求項１に記載の兵器マウント型レーザーディストラクト装置。
【請求項１６】
前記本体部は、ブラケットの追加なし、かつ兵器の望遠鏡と干渉することなく、１２時ポジションで兵器にマウントされることを許容するように、輪郭成形され、そして、機械的に構成されている請求項１に記載の兵器マウント型レーザーディストラクト装置。
【発明の詳細な説明】
【技術分野】
【０００１】
関連出願に対する相互参照
本出願は、名称がデイザー−レーザー（登録商標）ステルス（Ｄａｚｅｒ−Ｌａｓｅｒ（ＴＭ）  Ｓｔｅａｌｔｈ）であるロバート  バティス等により２０１１年１２月６日に出願された米国特許仮出願番号６１／５６７，１５９に関連しかつ優先権を主張しており、参照され、全体として、組み入れられている。
【０００２】
技術分野
本発明は、多機能な兵器マウント型非致死性光学式セキュリティ装置、より詳しくは、人に対して光学的に照明し、注意散漫（ｄｉｓｔｒａｃｔ）あるいは眩惑（ｄａｚｅ）させるための兵器マウント型光学式ディストラクト／レーザー装置に関する。
【背景技術】
【０００３】
発明の背景
低電力白色ＬＥＤフラッシュライト、固定焦点緑色レーザーおよび赤色小型平行ビームターゲット指示「ペンシルビーム」レーザーは、個別に兵器にマウントされて使用される。大部分の実施において、光学機器は、兵器における３、６あるいは９時ポジションにマウントされる。
【０００４】
ターゲットを「眩惑する」ことによって作動する光学式ディストラクト装置は、また、公知である。この種の装置は、いくつかの引用文献において詳述されており、例えば、名称がデイザーレーザーミーンビームインプルーブメント（Ｄａｚｅｒ  Ｌａｓｅｒ  Ｍｅａｎ  Ｂｅａｍ  Ｉｍｐｒｏｖｅｍｅｎｔ）であるロバート  バティス等により２００９年８月２７日に出願された米国特許仮出願番号６１／２７３，３７１（以下において「ミーンビームアプリケーション」）、名称がダイオードポンプ式固体緑色レーザー（Ｄｉｏｄｅ  Ｐｕｍｐｅｄ  Ｓｏｌｉｄ  Ｓｔａｔｅ  Ｇｒｅｅｎ  Ｌａｓｅｒ）であるロバート  バティス等により２０１２年１１月２６日に出願されたＰＣＴ特許出願番号ＰＣＴ／ＵＳ１１／３８１２１（以下において「緑色レーザーアプリケーション」）が、参照され、この中に含まれる。このアプリケーションに適するこのレーザーは、小型で、効率的で、コンパクトであり、かつ、全ての固体ダイオードポンプ式、デュアル周波数変換緑色レーザーの機能を提供する。
【０００５】
「眩惑」は、安全なレーザー照射の短い線量を受けた後において、照射のレーザービームが対象者の視覚および脳に影響を与える一時的、安全かつ可逆的生理的効果に関連する。眩惑は、通常、数秒あるいはレーザービームの焦点が目に合っている限り続く、瞬間的な閃光盲、そして、その後に続く、方向感覚を失う感覚を、結果として生じ、また、数時間続く可能性がある軽度の頭痛および動揺病を、結果として生じる虞がある。これらの眩惑効果は、眩惑を繰り返した後においても、完全に可逆である。対象者に対する眩惑レーザーの効果のための生理的バックグラウンドを記載している有益ないくつかの文献が存在する。このようなオンライン文献の一つは、名称が「一過性消散（Ｔｅｍｐｏｒａｌ  Ｒｅｓｏｌｕｔｉｏｎ）」であり、ｈｔｔｐ：／／ｗｅｂｖｉｓｉｏｎ．ｍｅｄ．ｕｔａｈ．ｅｄｕ／ｔｅｍｐｏｒａｌ．ｈｔｍｌ．で入手可能である。付加な参考文献は、「断続的な刺激をフリッカーさせる（Ｆｌｉｃｋｅｒ  ａｎ  Ｉｎｔｅｒｍｉｔｔｅｎｔ  Ｓｔｉｍｕｌａｔｉｏｎ）」，ビジョン  アンド  ビジュアル  パーセプション（Ｖｉｓｉｏｎ  ａｎｄ  Ｖｉｓｕａｌ  Ｐｅｒｃｅｐｔｉｏｎ），グラハム，シー．エイチ．（Ｇｒａｈａｍ，  Ｃ．  Ｈ．），（編集者），ニューヨーク（Ｎｅｗ  Ｙｏｒｋ）：ジョン  ウィリー  アンド  サンズ，  インク．（Ｊｏｈｎ  Ｗｉｌｅｙ  ａｎｄ  Ｓｏｎｓ，  Ｉｎｃ．），１９６５、および、「人の中心窩の動的性質の研究：断続的な変調光を有するコアテックスシステムズ，輝度における位相シフトおよび色知覚における遅延（Ｒｅｓｅａｒｃｈ  ｉｎｔｏ  ｔｈｅ  Ｄｙｎａｍｉｃ  Ｎａｔｕｒｅ  ｏｆ  ｔｈｅ  Ｈｕｍａｎ  Ｆｏｖｅａ：Ｃｏｒｔｅｘ  Ｓｙｓｔｅｍｓ  ｗｉｔｈ  Ｉｎｔｅｒｍｉｔｔｅｎｔ  ａｎｄ  Ｍｏｄｕｌａｔｅｄ  Ｌｉｇｈｔ，Ｐｈａｓｅ  Ｓｈｉｆｔ  ｉｎ  Ｂｒｉｇｈｔｎｅｓｓ  ａｎｄ  Ｄｅｌａｙ  ｉｎ  Ｃｏｌｏｒ  Ｐｅｒｃｅｐｔｉｏｎ）」，ドゥ  ランジュ（Ｄｅ  Ｌａｎｇｅ），ジャーナル  オブ  ザ  オプティカル  ソサエティー  オブ  アメリカ（Ｊ  Ｏｐｔ  Ｓｏｃ  Ａｍ）  ４８：  ７８４−７８９  （１９５８）を含んでいる。眩惑は、したがって、警告あるいは視覚上の割り込みのため、例えば、限定されないが、安全確保および群衆制御のため、接近した状態で用いられる兵器の潜在的に有益な非致死性の形態である。
【０００６】
眩惑レーザー装置の実施例はまた、ＰＣＴ特許出願番号ＰＣＴ／ＵＳ１０／３６８９３およびＰＣＴ／ＵＳ１０／３６９３２において教示されており、両方ともバティス等によるものであり、参照され、この中に含まれる。緑色可変焦点光学式ディストラクト装置および赤色標的トレーザーが、また、使用されている。
【発明の概要】
【発明が解決しようとする課題】
【０００７】
白色ＬＥＤフラッシュライトはまた、兵器にマウントされ、そして、潜在的な近距離ターゲットの照明を提供することに有益である。従来型の白色ＬＥＤ兵器マウント型フラッシュライトを使用することの１つの不利な点は、白色光は、目に見え、脅威であるターゲットの光学式眩惑を誘発することなく、ユーザーのポジションを暴露することである。
【０００８】
したがって、緑色可変焦点光学式ディストラクト装置、高出力白色ＬＥＤフラッシュライト、および赤色標的トレーザーを、全ての兵器のポジションにおいてマウントすることが可能である単一の小型の集積パッケージに組み込んでいる小型の兵器マウント型装置を提供することは、望ましい。この多機能装置は、可変レンジおよび可変フォーカスおよびミーンビーム技術（ミーンビームアプリケーションを参照のこと）を利用する新規および改良された光学式ディストラクト装置を提供するだけでなく、ソルダー（ｓｏｌｄｅｒ）が、重複する装置を彼の兵器から除去することを許容する。
【課題を解決するための手段】
【０００９】
本発明の要約
本発明の一様相は、戦術的効果を強化する、特別にユニークな機能および多重ウェーブバンドを有する軍用化パッケージに、眩惑レーザー技術を含んでいる非致死性マルチレンジ兵器マウント型光学式ディストラクト装置を提供する。一実施の態様において、レーザー  エナジェティックス，インコーポレイテッド（Ｌａｓｅｒ  Ｅｎｅｒｇｅｔｉｃｓ，  Ｉｎｃ．）によるデイザー  レーザー  ステルス（登録商標）（ＤＡＺＥＲ  ＬＡＳＥＲ  ＳＴＥＡＬＴＨ（ＴＭ））において、１メートルから１０００メートルのＡＮＳＩセーフリミット内における最大光学効果が、提供される。加えて、光学の効果は、ユーザーによってダイヤルを下げることにより、交戦シナリオに適合するように、例えば、最大の光学的眩惑の代わりに警告を提供することが可能である。
【００１０】
本発明の別の様相において、前記マウント型レーザーディストラクト装置は、２つの側面部によって互いに連結される上面部および底面部、前面部、および背面部を有するエンクロージャを含んでいる。前記上面部は、多関節マウントアダプターを含んでいる。前記底面部は、制御部を含んでいる。前記前面部は、一体型光学カバーおよび複数のアパーチャを含んでいる。前記エンクロージャは、複数の光学モジュールに光を提供する複数の光生成モジュールを制御する電子モジュールと通信するバッテリーモジュールを有するレーザー装置を、取り囲んでいる。前記電子モジュールはまた、制御モジュール、ディスプレイモジュール（４８０）、インジケータモジュールと通信し、また、任意にリモートモジュールと通信する。使用中において、前記電子モジュールは、複数の光生成モジュールの１つを駆動し、複数の光学モジュールの１つに渡される光を生成する。
【００１１】
本発明の付加的様相は、無線周波数通信インタフェースによって、あるいは電気アンビリカルコードによって、前記電子モジュールと通信する前記リモートモジュールを含んでいる。
【００１２】
本発明の別の様相において、前記光生成モジュールは、可視レーザーモジュール、赤外線（ＩＲ）レーザーモジュールを含み、また、任意に可視ＬＥＤモジュールを含んでいる。一実施の態様において、前記ＩＲレーザーモジュールおよび前記ＩＲレーザー光学モジュールは、前記電子モジュールによって、あるいは、前記レーザー光学モジュールを通過する別の光学通路を有する前記ＩＲレーザーモジュールとして規定される、２つの統合された、しかし独立したＩＲレーザーソースによって、制御され、標的（ｔａｒｇｅｔｉｎｇ）のために、広域カバレッジ光ビームあるいはペンシル光ビームを生成する。
【００１３】
本発明の別の様相において、前記可視レーザーモジュールおよび前記可視レーザー光学モジュールは、前記電子モジュールによって制御され、システム制限内のレンジにおいて、視覚の光学的ディストラクションを最適化するために、連続的かつ可変に発散しているレーザービームを生成する。
【００１４】
本発明の別の様相において、前記可視ＬＥＤモジュールは、探索するための白色光を生成する。前記一体型光学カバーは、いつ光が生成されているかをユーザーが照合することを許容するため、１００％未満の不透明体であることが可能である。
【００１５】
本発明の別の様相において、シンボルあるいは英数字を有するマスクは、遠隔の表面に対するメッセージおよび／又は警告の投射を許容するため、前記光学カバーを備えることも可能である。
【００１６】
本発明の別の様相は、ピッチおよびヨー（ｙａｗ）制御部を提供する。実施の形態においては、ヨー調整部およびピッチ調整部は、エンクロージャ上の制御部として提供される。別の形態においては、前記光学モジュールはさらに、前記制御モジュールに対する制御入力に応じ、ピッチ調整およびヨー調整のために、あるいは、エンクロージャ機械式調整部のために、機能する。
【図面の簡単な説明】
【００１７】
【図１】本発明を理解するのに有益な一例としての光学式ディストラクト／レーザー装置の斜視図である。
【図２】本発明を理解するのに有益な一例としての光学式ディストラクト／レーザー装置のブロック図である。
【図３】本発明を理解するのに有益な一例としての光学式ディストラクト／レーザー装置の斜視図である。
【図４】本発明を理解するのに有益な一例としての光学式ディストラクト／レーザー装置のブロック図である。
【図５】本発明を理解するのに有益な一例としての光学式ディストラクト／レーザー装置の斜視図である。
【発明を実施するための形態】
【００１８】
図面の簡単な説明
実施の形態は、以下の図面を参照して説明され、同様な数字は、図の全体に渡って同様な単位体を示している。
【００１９】
図１は、本発明を理解するのに有益な一例としての光学式ディストラクト／レーザー装置の斜視図を提供する。
【００２０】
図２は、本発明を理解するのに有益な一例としての光学式ディストラクト／レーザー装置のブロック図である。
【００２１】
図３は、本発明を理解するのに有益な一例としての光学式ディストラクト／レーザー装置の斜視図を提供する。
【００２２】
図４は、本発明を理解するのに有益な一例としての光学式ディストラクト／レーザー装置のブック図である。
【００２３】
図５は、本発明を理解するのに有益な一例としての光学式ディストラクト／レーザー装置の斜視図を提供する。
【００２４】
詳細な説明
以下の記述において、説明のため、具体的な番号、材料および構成は、本発明の完全な理解を提供するために、開示される。しかしながら、当業者にとって、これらの具体的内容なしで、本発明を実施することができることは明らかである。実施例によっては、周知の機構は、本発明を曖昧にしないように、省略あるいは単純化することが可能である。明細書における「一実施の形態」あるいは「実施の形態」への言及は、当該実施の形態と関連して記載されている特定の機能、構成または特徴が、少なくとも一つの実施の形態の態様に含まれることを、意味する。明細書における多様な場所における語句「実施の形態において」の様相は、必ずしも同じ実施の形態の全てを参照しているというわけではない。
【００２５】
本発明の実施の形態は、有利には、緑色可変焦点光学式ディストラクト装置、高出力白色ＬＥＤフラッシュライト、および赤色標的トレーザーを、全ての兵器のポジションにおいてマウントすることが可能である単一の小型の集積パッケージに組み込んでいる小型の兵器マウント型装置を提供する。
【００２６】
本発明の一実施の形態であるレーザー  エナジェティックス，インコーポレイテッド（Ｌａｓｅｒ  Ｅｎｅｒｇｅｔｉｃｓ，  Ｉｎｃ．）によるデイザー  レーザー  ステルス（登録商標）（ＤＡＺＥＲ  ＬＡＳＥＲ  ＳＴＥＡＬＴＨ（ＴＭ））は、非致死性マルチレンジ光学式ディストラクト装置を意味し、それは全体としてここにて含まれるミーンビームアプリケーションおよび緑色レーザーアプリケーションにおいて提供されるデイザー  レーザー（登録商標）（ＤＡＺＥＲ  ＬＡＳＥＲ（ＴＭ））技術と、特別にユニークな機能および多重ウェーブバンドとを、組合せて、軍用化パッケージとし、戦術的効果を強化している。デイザー  レーザー  ステルス（登録商標）（ＤＡＺＥＲ  ＬＡＳＥＲ  ＳＴＥＡＬＴＨ（ＴＭ）））は、また、ここにおいて、「ステルス」、「兵器マウント型レーザーディストラクト装置」、あるいは、単に「レーザーディストラクト装置」と称する。
【００２７】
本発明の実施の形態は、図１に示されるように、ハンドヘルド型あるいは兵器マウント型小型軽量パッケージを含んでいる。このレーザーディストラクト装置は、光学的に眩惑し、そして一時的に敵（ｔｈｒｅａｔ）の視覚を損なわせる照射レーザビーム（１２０）を投射する。パッケージ概念の一実施の形態は、図１において例示されている。レーザーディストラクト装置は、電流をレーザーに導くミーンビームアプリケーションにおいてさらに詳細に説明されているレーザー  エナジェティックス，インコーポレイテッド（Ｌａｓｅｒ  Ｅｎｅｒｇｅｔｉｃｓ，  Ｉｎｃ．）のミーンビームレーザ技術を使用する。緑色レーザー光学式ディストラクト装置（１２０）モードに加えて、レーザーディストラクト装置は、ＩＲレーザー照明装置／ターゲット指示装置（１３０）モードおよび領域照明のための白色ＬＥＤサーチライト（１４０）モードを含むが、これらに限定されず、他の照射モードを含んでいる。多重アパーチャは、耐候性シールバネ負荷式一体型光学カバー（１１０）によって保護される。
【００２８】
レーザーディストラクト装置はまた、光学ズーム機構（２２０）、あるいは、可変レンジおよび焦点調整機構を含んでおり、これはまた、ミーンビームアプリケーションにおいてさらに詳細に説明されており、照射ビームサイズを調整することによって、５から１０００メートルまでのいかなる所望のレンジにおいても、ユーザーが、照射強度あるいはフルエンス（ｆｌｕｅｎｃｅ）を変化させることが可能である。ビームサイズは、ズーム制御ボタン（２２０）によって調整され、そして、ディスプレイ（２６０）は、選択されたレンジを表示する。
【００２９】
本発明の一実施の形態は、独立してタップネジにより兵器に取り付けられるリモート制御（３００）ボタンによってレーザーディストラクト装置を操作する能力を提供する。この機構は、レーザーディストラクト装置が、いかなる所望のレンジにも光学的にズームすることを許容し、また、そして、モード制御（２４０）スイッチによって予め選択されるアパーチャ（１２０，１３０，１４０）の１つから照射が発せられることを許容する。ディスプレイ［２６０］は、選択されたレーザーモードのためのレンジ設定を示している。リモート制御ボタンは、電気アンビリカルコードによってレーザーディストラクト装置に繋いたり、あるいは無線ＲＦ（ラジオ周波数）リンクを使用して、レーザーディストラクト装置と通信したりすることが可能である。バッテリー寿命を増やすために、リモート制御モードは、好ましくは、リモート制御（２３０）スイッチによって、起動させられる。
【００３０】
レーザーディストラクト装置は、通常、発射ボタン（２５０）によって起動させられると、選択された制御スイッチモード（２４０）に基づいて、光学アパーチャの１つから照射が発せられることを直ちに許容する。リモート制御部（２３０）が起動させられる場合、発射ボタン（２５０）はまた、活動状態である。一体型光学カバー（１１０）が手動で開けられた後で、通常強度の照射が、光学アパーチャから発せられる。このカバー（１１０）は、好ましくは、指つまり親指によってスライドラッチを開放することによるバネ作用によって、開けられる。
【００３１】
カバー（１１０）は、１００％未満の不透明体であるように設計されており、微量の照射を、ユーザーが見ることが可能である。これには、戦術的状況においてポジションを人目にさらすことなく、ユーザーが、選択された照射モードの適切なオペレーションを検証することを可能とする。カバーの僅かな不透明度（ｍａｒｇｉｎａｌ  ｏｐａｃｉｔｙ）に加えて、レーザービームが短距離用、中距離用あるいは長距離用に設定されているか否かを、ユーザーが判断することを可能とする基準マークが存在する。
【００３２】
ここにおいて記載されている戦術的照射モードに加えて、レーザーディストラクト装置は、トレーニングモードを提供し、そこにおいて、緑色レーザー光学式ディストラクト装置（１２０）アパーチャは、人を眩惑しないが、光学ズーム制御のトレーニングおよび短距離戦術の進歩を可能とする充分な照射を生じるポイントに、パワーが減少させられる。
【００３３】
本発明の実施の形態はまた、多関節マウントアダプター（１５０）を含んでおり、これは、レーザーディストラクト装置が、兵器規格ピカティニーレールに連結され、また、レーザーディストラクト装置を照準合わせ（ｂｏｒｅ−ｓｉｇｈｔｉｎｇ）するためのピッチおよびヨー調整を、兵器のターゲット照準装置（ｔａｒｇｅｔ  ａｉｍｉｎｇ  ｄｅｖｉｃｅ）に、組み入れることを可能とする。レーザーディストラクト装置のこのマウントおよびデザインの付加的機構は、人間工学的にアクセス可能な全ての機構を有し、兵器の下部かつ左右の側部（３、６および９時ポジション）にマウント可能であることである。
【００３４】
レーザーディストラクト装置の多様な実施の形態における重要な内部要素は、図２に例示される。これらの要素は、次に説明される。
１）可視レーザーモジュール［４００］：電子モジュールのマイクロプロセッサから、ＬＥＩのミーンビームレーザ技術によって制御される５３２ナノメートルで操作される光学ディストラクション緑色レーザー、
２）ＩＲレーザーモジュール［４０５］：区域照明（フラッディング（ｆｌｏｏｄｉｎｇ））あるいはターゲット指定（照準（ｐｏｉｎｔｉｎｇ））のためのソースとして使用される８６０あるいは８８０ナノメートルで操作されるＩＲレーザー、
３）可視ＬＥＤモジュール［４１０］：短距離可視の区域照明（フラッディング）のための１５０〜２５０ルーメンの白色ＬＥＤソース、
４）可視レーザー光学モジュール［４２０］：５〜１０００メートルの間のレーザービームを投射および焦点調整するために使用される焦点調整可能光学モジュール、
５）ＩＲレーザー光学モジュール［４２５］：区域照明のための広幅ビームからターゲットのためのペンシルビームまでのＩＲレーザービームを、投射および焦点調整するために使用される焦点調整可能光学モジュール、
６）可視ＬＥＤ光学モジュール［４３０］：短距離照明のための適度な発散を有するＬＥＤ光を投射するための固定焦点光学モジュール、
７）制御モジュール［４４０］：マイクロプロセッサによって操作モードを制御するための電気機械式スイッチ、
８）インジケータモジュール［４５０］：マイクロプロセッサによって制御される連続したＬＥＤインジケータ、例えば、電源オン、バッテリー電力低下、レーザー発射およびリモート有効、
９）リモートモジュール［４６０］：リモートボタンから３つの信号を解釈する短距離ＲＦレシーバおよびデコーダ、
１０）制御電子モジュール［４７０］：ステルスの全ての様相を制御する電子工学に基づくマイクロプロセッサ、
１１）ディスプレイモジュール［４８０］：選択されたレーザーモードのため、レーザビームレンジ設定あるいは焦点調整されるレンジを示すためのディスプレイ、
１２）バッテリーモジュール［４９０］：電子モジュールに対して適切な電気的接続を有する多数の市販バッテリーを含んでいる成形キャビティ部（Ｆｏｒｍｅｄ  ｃａｖｉｔｙ）。
【００３５】
レーザーディストラクト装置パッケージは、バッテリーモジュールを除いて、上記一覧の重要な内部要素の全てを含んでいる密閉されたエンベロープを特徴とする。このエンベロープは、乾燥窒素を使用して、１気圧未満に加圧されている。バッテリーモジュールは、支配的な大気圧に対して、ねじ込式カバー［１６０］によってシールされている。
【００３６】
「ステルス概念Ａ」として図１において参照される本発明の一実施の形態は、上記一覧の１２の内部機構、および、ステルスを兵器規格ピカティニーレールに連結することを可能とする外部の多関節マウントアダプター（１５０）によって特徴づけられる。「ステルス概念Ｂ」として図３において参照される別の重要な実施の形態は、左側構成と右側構成の両方において兵器規格ピカティニーレールに固定され、かつ、ピッチおよびヨー調整部を有しない多関節側面マウントアダプター（１５５）に置き換えられる多関節マウントアダプター（１５０）を有する。図３の本実施の形態のピッチ調整部（１５６）およびヨー調整部（１５７）は、レーザーディストラクト装置本体部に配置されて、光学ビーム投射と関連する内部要素を制御する。「ステルス概念Ｂ」はまた、付加的なステータスインディケータを追加し、特定の要素のロケーションを移動させ、また、本体部機構を追加しており、これら全ては、基礎をなす概念に対して極めて重要ではないが、しかし、結果として、ユニークなステルス概念Ｂ装置エンクロージャ（１０５）を生じる。
【００３７】
多関節マウントアダプター（１５０）からステルスＢ装置エンクロージャ（１０５）へのピッチおよびヨー調整部の移動は、図２に示されるように、「ステルス概念Ａ」内部要素に対して重要な内部変更を提供する。この変更は、図４において例示されており、多関節側面マウントアダプター（１５５）に取付けられるピカティニーレールに関して、可視レーザー（４００）とＩＲレーザー（４０５）の両方の照準方向あるいは照準合わせを制御する光学ベンチ（４０１）が追加されている。「ステルス概念Ｂ」の内部要素の残りの全ては、本質的に「ステルス概念Ａ」実施の形態のそれらと同じものである。
【００３８】
本発明のさらに別の実施の形態は、「ステルス概念Ｃ」として提供されて、図５において例示される。「ステルス概念Ｃ」は、「ステルス概念Ｂ」の部分的改変であり、上面部キャビティ部（１０７）が形成されることを許容するため、内部要素およびエンクロージャ制御部が移動されている。このキャビティ部は、兵器の望遠鏡視野（ＦＯＶ）の視野あるいはマウント操作と干渉することなく、「ステルス概念Ｃ」レーザーディストラクト装置が、兵器の上部ピカティニーレールに、つまり１２時ポジションにマウントされることを許容する。「ステルス概念Ｃ」レーザーディストラクト装置は、代わりに、他の３つの兵器レールポジション（３、６および９時ポジション）のいずれかに、マウントされることが可能である。
【００３９】
「ステルス概念Ｃ」レーザーディストラクト装置はまた、エンクロージャ（１０６）の底部に配置される内蔵式レールアダプター（１５８）、および、レールカムレバー（１５９）を特徴としており、したがって、外部の多関節側面マウントアダプター（１５５）および多関節マウントアダプター（１５０）が除去される。レールアダプター（１５８）は、ピカティニーレールの「ステルス概念Ｃ」エンクロージャ成形メス型（ｍｏｌｄｅｄ  ｎｅｇａｔｉｖｅ  ｆｏｒｍ）であり、一方の側面に、切り込みが形成されており、これは、レールカムレバー（１５９）がレールと係合し、レーザーディストラクト装置をこのピカティニーレールに固定すること許容する。
【００４０】
加えて、「ステルス概念Ｃ」アパーチャは、再配置され、また、アパーチャカバーは、回転光学カバー（１１２）と称され、そして、ＩＲおよび緑色レーザアパーチャのみを覆い、また、白色ＬＥＤアパーチャ周りを回転する。カバーリテーナ（１１３）は、開かれたときにカバーを保持するためのエンクロージャ成形体（ｅｎｃｌｏｓｕｒｅ  ｍｏｌｄｅｄ  ｆｅａｔｕｒｅ）である。一方、「ステルス概念Ｃ」レーザーディストラクト装置は、「ステルス概念Ａ」および「ステルス概念Ｂ」の残りの全ての機能を保有しているが、特にここでは、詳細に描写されない。
【００４１】
ステルスモデルの比較概要。
【００４２】
以下のテーブルは、「ステルス概念」モデル「Ａ」、「Ｂ」および「Ｃ」として上記において特定される本発明の実施の形態間の重要な差異を特定する。
【００４３】
【表１】
2015503081.tif 000003
【００４４】
本発明は、ここにおいて特定の実施の形態を参照して説明されてきたが、これらの実施の形態は、本発明の原理および応用例の単なる例証であることが理解される。したがって、添付の請求の範囲に記載の本発明の趣旨および範囲から逸脱することなく、例証された実施の形態に対して多数の部分的改変を為すことが可能であり、また、その他のアレンジメントを考案することができることは、理解される。
【図１】
2015503081.tif 000004
【図２】
2015503081.tif 000005
【図３】
2015503081.tif 000006
【図４】
2015503081.tif 000007
【図５】
2015503081.tif 000008
【国際調査報告】
2015503081.tif 000009